(57)【特許請求の範囲】
【請求項１】
右目用画像および左目用画像を交互に表示可能な立体画像表示装置であって、
順次に表示されるべき一対の前記右目用画像の画像データおよび前記左目用画像の画像データの組を記憶する画像メモリーと、
前記画像データの組を、他の前記画像データの組と識別可能な識別タグに対応付けて画像メモリーへ書き込む画像データ入力部、
前記画像メモリーへ書き込まれた前記画像データを、前記画像データの組毎に読み出す画像データ読出部、および、
読み出された前記画像データに基づいて前記右目用画像および前記左目用画像を順次に表示する画像表示部と、
を備え、
前記画像データ入力部は、前記右目用画像の画像データおよび前記左目用画像の画像データの両方について前記画像メモリーへの書き込みが完了した前記画像データの組について、当該画像データの組に対応する前記識別タグとともに前記画像メモリーへの書き込みの完了を示す完了信号を前記画像データ読出部へ出力し、
前記画像データ読出部は、前記完了信号とともに受け取った前記識別タグに対応付けられた前記画像データの組を読み出すことを特徴とする立体画像表示装置。
【請求項２】
前記画像データ読出部は、前記完了信号とともに受け取った前記識別タグを記憶し、新たに前記完了信号を受け取ったことに応じて、記憶している前記識別タグを更新することを特徴とする請求項１に記載の立体画像表示装置。
【請求項３】
前記識別タグは、前記画像データの組の前記画像メモリーへの書き込み順序を示す情報を含み、
前記画像データ読出部は、前記画像メモリーへの書き込み順序に基づいて、前記画像メモリーから読み出す順序を決定することを特徴とする請求項１または２に記載の立体画像表示装置。
【請求項４】
請求項１から３のいずれか１項に記載の立体画像表示装置と、
使用者の左目の前方に配されて前記左目用画像が表示されているフレーム期間に前記左目の視野を開放する左眼用シャッター、および、前記使用者の右目の前方に配されて前記右目用画像が表示されている前記フレーム期間に前記右目の視野を開放する右眼用シャッターを有するシャッター眼鏡と、
を備えることを特徴とする立体画像表示システム。
【発明の詳細な説明】
【技術分野】
【０００１】
本発明は、立体画像表示装置および立体画像表示システムに関する。より詳しくは、シャッター眼鏡を使用することで立体画像として認識可能な画像を表示することのできる立体画像表示装置および立体画像表示システムに関する。
【背景技術】
【０００２】
右目用画像および左目用画像を時分割により所定のフレーム期間ごとに交互に表示させるとともに、ユーザーが液晶シャッターを備えたシャッター眼鏡を使用してその表示画像を見ることにより、その表示画像を立体画像として認識することのできる立体画像表示装置が知られている（例えば特許文献１参照）。
【先行技術文献】
【特許文献】
【０００３】
【特許文献１】特開２００９−３２３１６８号公報
【発明の概要】
【発明が解決しようとする課題】
【０００４】
従来の装置では、入力される画像データを画像メモリーに書き込む際に何らかの理由で書き込みが正常に完了しなかった場合、すなわち、所謂フレーム落ちが生じた場合に、直前に書き込まれた画像データ、もしくは、すでに書き込まれた画像データのうちの最も古い画像データを代わりに読み出して表示することとなる。しかしながら、例えば右眼用画像がフレーム落ちした場合、直前に書き込まれた画像データを代わりに読み込むと、左目用画像が連続することとなり、フリッカーが生じ易くなる。
【課題を解決するための手段】
【０００５】
上記課題を解決することを目的として、本発明は、一の形態として、右目用画像および左目用画像を交互に表示可能な立体画像表示装置であって、順次に表示されるべき一対の前記右目用画像の画像データおよび前記左目用画像の画像データの組を記憶する画像メモリーと、前記画像データの組を、他の前記画像データの組と識別可能な識別タグに対応付けて画像メモリーへ書き込む画像データ入力部、前記画像メモリーへ書き込まれた前記画像データを、前記画像データの組毎に読み出す画像データ読出部、および、読み出された前記画像データに基づいて前記右目用画像および前記左目用画像を順次に表示する画像表示部と、を備え、前記画像データ入力部は、前記右目用画像の画像データおよび前記左目用画像の画像データの両方について前記画像メモリーへの書き込みが完了した前記画像データの組について、当該画像データの組に対応する前記識別タグとともに前記画像メモリーへの書き込みの完了を示す完了信号を前記画像データ読出部へ出力し、前記画像データ読出部は、前記完了信号とともに受け取った前記識別タグに対応付けられた前記画像データの組を読み出すことを特徴とする立体画像表示装置を提供する。
【０００６】
このような立体画像表示装置によれば、例えば一対の右目用画像および左目用画像に対応する各画像データの一方が画像メモリーへ適切に書き込まれなかった場合でも、直前に書き込まれた画像データではなく、識別タグに対応付けて書き込んだ他の一対の画像データを読み出すので、右目用画像あるいは左目用画像の画像データが連続して読み出されることがない。したがって、フリッカーの発生を防ぐことができる。
【０００７】
また、上記立体画像表示装置において、前記立体画像表示装置における前記画像データ読出部は、前記完了信号とともに受け取った前記識別タグを記憶し、新たに前記完了信号を受け取ったことに応じて、記憶している前記識別タグを更新することが好ましい。
【０００８】
これにより、画像データ読出部は、画像メモリーへの書き込みが完了している画像データの組についての最新の状態に基づいて、次に読み出すべき画像データの組を選択するので、誤ってフレーム落ちが生じた画像データの組を読み出すことがない。
【０００９】
また、上記立体画像表示装置において、前記識別タグは、前記画像データの組の前記画像メモリーへの書き込み順序を示す情報を含み、前記立体画像表示装置における前記画像データ読出部は、前記画像メモリーへの書き込み順序に基づいて、前記画像メモリーから読み出す順序を決定することが好ましい。
【００１０】
これにより、例えば、フレーム落ちが生じた画像データの組を飛ばして次に読み出すべき画像データの組を読み出したり、一つ前に既に読み出した画像データの組を再度読み出すなどの設定が容易になる。
【００１１】
また、本発明は、他の形態として、上記のいずれかの立体画像表示装置と、使用者の左目の前方に配されて前記左目用画像が表示されているフレーム期間に前記左目の視野を開放する左眼用シャッター、および、前記使用者の右目の前方に配されて前記右目用画像が表示されている前記フレーム期間に前記右目の視野を開放する右眼用シャッターを有するシャッター眼鏡と、を備えることを特徴とする立体画像表示システムを提供する。
【図面の簡単な説明】
【００１２】
【図１】本発明の実施形態に係るプロジェクター１００およびプロジェクター１００に付属のシャッター眼鏡１７０およびリモートコントローラー２００の概略図を示す。
【図２】プロジェクターシステム１０を構成するプロジェクター１００、シャッター眼鏡１７０、およびリモートコントローラー２００の機能ブロック図を示す。
【図３】全ての画像データが画像メモリー１１６ａに正常に書き込まれた状態およびそのときに画像データ読出部１９０によって読み出される画像データの時系列を模式的に示す図である。
【図４】一部の画像データが画像メモリー１１６ａに正常に書き込まれなかった状態およびそのときに画像データ読出部１９０によって読み出される画像データの時系列を模式的に示す図である。
【図５】一部の画像データが画像メモリー１１６ａに正常に書き込まれなかった状態およびそのときに画像データ読出部１９０によって読み出される画像データの時系列を模式的に示す図である。
【図６】一部の画像データが画像メモリー１１６ａに正常に書き込まれなかった状態およびそのときに画像データ読出部１９０によって読み出される画像データの時系列を模式的に示す図である。
【発明を実施するための形態】
【００１３】
以下、添付図面に基づいて本発明の一実施形態について説明するが、以下の実施形態は特許請求の範囲に係る発明を限定するものではなく、また、実施形態における特徴の組み合わせの全てが発明の解決手段に必須であるとは限らない。
【００１４】
図１は、本発明の実施形態に係るプロジェクターシステム１０の概略図を示す。また、図２は、プロジェクターシステム１０を構成するプロジェクター１００、シャッター眼鏡１７０、およびリモートコントローラー２００の機能ブロック図を示す。本実施形態に係るプロジェクターシステム１０は、右目用画像および左目用画像を時分割により所定のフレーム期間ごとに交互にスクリーンなどの投射面に投射するとともに、視聴者がそれらの画像を立体画像（３Ｄ画像）として視認することのできる本発明の立体画像表示システムの一例であって、プロジェクター１００と、シャッター眼鏡１７０と、プロジェクター１００を制御するリモートコントローラー２００とを備える。
【００１５】
リモートコントローラー２００（図２では「ＲＣ」と表記）は、プロジェクター１００に対する各種の操作を遠隔にて行うための無線通信端末であり、本体表面に、電源ボタン２１１、メニューボタン２１２、エスケープボタン２１３、スクロールボタン（方向ボタン）２１４、複数の文字／数字入力ボタン２１５、およびミュートボタン２１６を含む各種の操作ボタン、および操作内容や各種の設定情報などを表示する表示部２２０が配されている。リモートコントローラー２００では、例えばユーザーがこれらの操作ボタンを押下することにより入力した操作内容に基づいて操作信号が生成され、当該操作信号がリモートコントローラー２００の送信部（不図示）から例えば赤外線信号として無線送信される。
【００１６】
例えば、プロジェクター１００による投射動作時にユーザーがミュートボタン２１６を押下すると、リモートコントローラー２００からプロジェクター１００に対して、画像の投射を中断すべき旨のミュート操作を示す操作信号が送信される。なお、リモートコントローラー２００を用いて行うことのできる操作は、プロジェクター１００の本体に設けられた操作パネル（不図示）に配される操作ボタンを通じて行うこともできる。
【００１７】
プロジェクター１００は、本発明の立体画像表示装置の一例であって、ランプ１１０、光学部１１１、液晶パネル駆動部１１２、操作受付部１１３、電源部１１４、画像処理部１１５、記憶部１１６、制御部１１７、ランプ駆動部１１９、受信部１５０、表示部１６０、画像データ入力部１８０、および画像データ読出部１９０を有する。
【００１８】
画像データ入力部１８０は、プロジェクター１００の前面あるいは背面パネルなどに設けられた一または複数の入力端子と接続する。本例では、プロジェクター１００には、外部から供給される画像データを受け取るための入力端子が設けられており、画像データ入力部１８０は、この入力端子を介してプロジェクター１００の外部から入力される画像データを受け取り、後述の画像メモリー１１６ａへ書き込む。なお、本例において、上記入力端子の種類は特に限定されないが、例えば、ＰＣ入力端子、ＨＤＭI入力端子（ＨＤＭＩ）、ＵＳＢ入力端子、およびＤＶ入力端子などであってよい。
【００１９】
画像データ入力部１８０は、外部から入力される画像データが立体視に対応した画像データである場合、すなわち、時分割により所定のフレーム期間ごとに交互に投射させる右目用画像および左目用画像を生成するための画像データである場合は、順次に投射されるべき一対の右目用画像の画像データおよび左目用画像の画像データの組を、他の画像データの組と識別可能な識別タグに対応付けて後述の画像メモリー１１６ａへ書き込む。また、画像データ入力部１８０は、一対の右目用画像および左目用画像を構成する画像データ（右目用画像の画像データおよび左目用画像の画像データ）の両方について画像メモリー１１６ａへの書き込みが完了する度に、それら一対の画像データの組について画像メモリー１１６ａへの書き込みが完了したことを示す完了信号を画像データ読出部１９０へ出力する。
【００２０】
また、このとき、画像データ入力部１８０は、完了信号とともに、上記識別タグを画像データ読出部１９０へ出力する。なお、この識別タグには、当該識別タグに対応付けた画像データの組の画像メモリー１１６ａへの書き込みが完了した時刻など、当該画像データの組と他の画像データの組との書き込み順序を識別するための情報や、画像メモリー１１６ａ内における各々の画像データが書き込まれているフレーム番号などのデータが含まれている。
【００２１】
ランプ１１０は、例えば、高圧水銀ランプや、メタルハライドランプ及びハロゲンランプなどの高輝度が得られる放電式ランプである。光学部１１１は、ランプ１１０が放射する白色光を輝度分布の安定した略平行光に変換するインテグレーター光学系と、赤色、緑色、青色の各色光用の液晶ライトバルブと、輝度分布の安定した白色光を赤色、緑色、青色の光成分に分離して対応する液晶ライトバルブに供給する分離光学系と、液晶ライトバルブにて各色光毎に画像信号に応じて変調された各色光を、再度合成する合成光学系（いずれも図示せず）とを含む。なお、上記液晶ライトバルブは、透過型の液晶ライトバルブでも良く、また、反射型の液晶ライトバルブであっても良い。
【００２２】
光学部１１１は、合成光学系から射出されるフルカラーで略平行な変調光を、内蔵する投射レンズで拡大した投射光を生成する。これにより、プロジェクター１００は、投射面にフルカラーの画像（映像）を投射することができる。
【００２３】
液晶パネル駆動部１１２は、光学部１１１の液晶ライトバルブ（図示せず）に対して画像処理部１１５から入力する画像信号とともに駆動電圧などを供給し、ランプ１１０から射出された光を液晶ライトバルブで変調する。
【００２４】
電源部１１４は、制御部１１７からの信号に応じて、外部電源３００からの電力をプロジェクター１００の各部に供給する。より具体的には、電源部１１４は、外部電源３００からの交流電力を内蔵するＡＣ／ＤＣ変換部（図示せず）にて変圧し、さらに整流および平滑化して安定化させた直流電圧をプロジェクター１００の各部に供給する。
【００２５】
ランプ駆動部１１９は、ランプ１１０を点灯するために高電圧を発生して放電経路を形成するイグナイター回路（図示せず）と、点灯後の安定した点灯状態を維持するためのバラスト回路（図示せず）とを備えている。なお、以下において、ランプ１１０、光学部１１１、液晶パネル駆動部１１２、およびランプ駆動部１１９をまとめて示す際は「投射部１２０」と称する。
【００２６】
受信部１５０は、リモートコントローラー２００から送信される操作信号を受信する。リモートコントローラー２００からの操作信号が赤外線信号である場合、受信部１５０は、例えば赤外線受光素子と光電変換回路などで構成される。
【００２７】
記憶部１１６は、プロジェクター１００を起動させるときの起動ルーチンなど、プロジェクター１００の動作を制御するための様々なプログラムおよび付随するデータを記憶する。また、記憶部１１６は、プロジェクター１００の起動後にユーザーが行った各種の設定に関する情報も記憶する。さらに、記憶部１１６は、プロジェクター１００の起動中に入力端子を介して外部から入力される複数の画像データが書き込まれる画像メモリー１１６ａを有する。記憶部１１６は、記憶するデータの書き換えが可能であるとともに、プロジェクター１００が電源オフの状態でもデータの保持が可能な不揮発性の記憶素子が好ましく用いられる。特に、画像メモリー１１６ａには、データの書き込みや読み出しの速度に優れたフラッシュメモリーなどの不揮発性メモリーが好ましく用いられる。
【００２８】
画像データ読出部１９０は、画像メモリー１１６ａへ書き込まれた画像データを読み出して画像処理部１１５へと出力する。本例では、画像メモリー１１６ａに書き込まれている画像データが、フレーム単位で投射すべき右目用画像および左目用画像を生成するための複数の画像データである場合、すなわち、対をなす右目用画像の画像データおよび左目用画像の画像データが画像メモリー１１６ａへそれぞれ複数書き込まれている場合は、上記のように、書込時に画像データの組毎に識別可能な識別タグが付されている。また、一対の画像データ（右目用画像の画像データおよび左目用画像の画像データ）の両方について画像メモリー１１６ａへの書き込みが完了したものについては、画像データ入力部１８０から画像データ読出部１９０へその画像データの組を識別する識別タグと完了信号とが出力されるが、画像データ入力部１８０が一の画像データの組を画像メモリー１１６ａへ書き込んだ際に一方あるいは両方の画像データが適切に書き込まれなかった場合には、画像データ入力部１８０から画像データ読出部１９０へは上記識別タグおよび完了信号は出力されない。
【００２９】
一方、画像データ読出部１９０は、画像データ入力部１８０から完了信号とともに受け取った上記識別タグを記憶している。したがって、画像データ読出部１９０は、右目用画像の画像データおよび左目用画像の画像データの両方について書き込みが完了した画像データの組だけを示す識別タグのリストを記憶している。なお、本例では、画像データ読出部１９０は、複数の上記識別タグを記憶する場合に、画像データ入力部１８０からの入力タイミング（画像メモリー１１６ａへ書き込まれたタイミング）を示す情報に対応付けて当該識別タグを記憶している。
【００３０】
そして、本例では、画像データ読出部１９０は、画像メモリー１１６ａへの書き込みタイミングが古い画像データの組から順に画像メモリー１１６ａから読み出す。また、画像データ読出部１９０は、画像データ入力部１８０から新たに識別タグとともに完了信号を受け取った場合にのみ、記憶している上記識別タグに新たに受け取った識別タグを加えるべく識別タグのリストを更新する。
【００３１】
したがって、例えば、特定の画像データの組のうちの一方の画像データについて画像メモリー１１６ａへ適切に書き込まれなかった場合に、書込不良が生じた画像データに替えて例えば直前に画像メモリー１１６ａへ書き込まれた画像データを読み出した場合、左目用画像あるいは右目用画像が連続して投射されることとなり、フリッカーとなり得るが、本例のプロジェクターシステム１０が備えるプロジェクター１００においては、画像データ読出部１９０は、画像メモリー１１６ａへの書き込みが正常に完了した右目用画像の画像データおよび左目用画像の画像データの組を示す識別タグを手掛かりとして、右目用画像の画像データおよび左目用画像の画像データを組単位で画像メモリー１１６ａから読み出す。
【００３２】
画像処理部１１５は、画像データ読出部１９０から入力される画像データに基づいて、投射画像の画像信号を生成する。そして、画像処理部１１５は、生成した画像信号を、フレーム毎の画像単位で（平面画像の場合は１画像単位で、立体画像の場合は右目用画像および左目用画像の組で）画像投射部１２０へ出力する。
【００３３】
操作受付部１１３は、受信部１５０が受信した上記操作信号が示す操作内容および本体の操作パネル（不図示）を通じて入力された操作内容に基づいて、制御部１１７へ各種動作のトリガーとなる信号を送る。
【００３４】
制御部１１７は、操作受付部１１３からの信号をトリガーとしてバスラインＢｕｓを介して各部を制御する。また、その際に、制御部１１７は、記憶部１１６が記憶しているプロジェクター１００の各種設定に関する情報を読み出し、当該情報および上記操作内容に基づいて各部を制御する。また、制御部１１７は、シャッター眼鏡１７０の左眼用シャッター１７１および右眼用シャッター１７２の各シャッターの開閉タイミングを制御する制御信号を、赤外線送信部１４０を介して無線送信する。
【００３５】
また、制御部１１７は、プロジェクター１００が平面画像を投射している状態から立体視用の右目用画像および左目用画像の投射へと切り替える切替操作を操作受付部１１３が受け付けたことに応じて、画像データ入力部１８０に対して、入力ソースの切り替えと同時に右目用画像の画像データおよび左目用画像の画像データの組毎に上記識別タグを付して画像メモリー１１６ａへと書き込むべき旨の制御信号を送る。
【００３６】
表示部１６０は、例えば複数色に点灯するＬＥＤ（Ｌｉｇｈｔ  Ｅｍｉｔｔｉｎｇ  Ｄｉｏｄｅ）を有し、当該ＬＥＤの点灯色および点灯状態（連続点灯あるいは点滅）によってプロジェクター１００の現在の状態をユーザーに知らせる。例えば、プロジェクター１００が複数の入力端子を有する場合、ソース端子として選択されている入力端子に画像データが入力していれば、表示部１６０におけるソース端子への画像データの入力状態を示すＬＥＤが緑色に点灯する。一方、ソース端子に画像データが入力していなければ、上記ＬＥＤは赤色に点灯する。また、ソース端子への画像データの入力が途切れた場合、入力ステータスＬＥＤは赤色に点滅する。
【００３７】
なお、表示部１６０は、上記のようにＬＥＤを有する形態に限られず、例えば、小型のＬＣＤ（液晶表示部）であってもよい。また、表示部１６０が表示する内容についても、プロジェクター１００の状態に限られない。
【００３８】
シャッター眼鏡１７０は、左眼用シャッター１７１および右眼用シャッター１７２と、赤外線送信部１４０を介して制御部１１７から送信される赤外線信号（制御信号）を受信する受信部（不図示）とを有する。そして、制御部１１７から送信される上記制御信号によって各シャッターの開閉が制御される。具体的には、プロジェクター１００が投射面に右目用画像を投射しているタイミングでは、右眼用シャッター１７２が開き、左眼用シャッター１７１は閉じる。一方、プロジェクター１００が投射面に左目用画像を投射しているタイミングでは、左眼用シャッター１７１が開き、右眼用シャッター１７２は閉じる。これにより、シャッター眼鏡１７０をかけたユーザーは、投射面に順次に映し出される右目用画像および左目用画像を立体画像として認識することができる。
【００３９】
以下において、プロジェクター１００における画像データの書き込みおよび読み出しの各動作について、より具体的に説明する。
【００４０】
画像メモリー１１６ａ内の記憶領域０〜７に左目用画像の画像データ（Ｌ１・・・Ｌ４）および右目用画像の画像データ（Ｒ１・・・Ｒ４）がそれぞれ書き込まれているとともに、記憶領域０と１、記憶領域２と３、記憶領域４と５、および記憶領域６と７に書き込まれた左目用画像の画像データと右目用画像の画像データとの組が対をなす画像データとして識別タグ（タグ１・・・タグ４）が付されている場合を例に説明する。本実施形態では、左目用画像の画像データ、及び右目用画像の画像データはそれぞれが１つのフレームを構成する。また本実施形態では、画像データの識別タグが示す数字が小さいほど、その画像データが画像データ入力部１８０に入力されたのが早いことを示す。
【００４１】
そして、図３に示すように、全ての画像データの書き込みが正常に完了している場合は、画像データ読出部１９０は、全ての識別タグ（タグ１・・・タグ４）を記憶している。ここで、例えば、画像データ読出部１９０が画像メモリー１１６ａからタグ１→タグ２→タグ３→タグ４の順（書き込みの古い順）に画像データの組を読み出す場合、画像データ読出部１９０は、図３に示すように、記憶領域０に書き込まれていた左目用画像の画像データ（Ｌ１）、記憶領域１に書き込まれていた右目用画像の画像データ（Ｒ１）、記憶領域２に書き込まれていた左目用画像の画像データ（Ｌ２）、記憶領域３に書き込まれていた右目用画像の画像データ（Ｒ２）、・・・の順に画像データを読み出す。そして、読み出されたこれらの画像データは、順に左目用画像および右目用画像として投射される。
【００４２】
一方、図４乃至図６において斜線を付して示すように、画像データ入力部１８０によって画像メモリー１１６ａの記憶領域２および記憶領域３に書き込まれた左目用画像の画像データ（Ｌ２）および右目用画像の画像データ（Ｒ２）のいずれか一方あるいは両方が書込不良となった場合を考える。この場合は、画像データ読出部１９０は、タグ２を構成する画像データの組については画像データ入力部１８０から書き込みの完了を示す完了信号を受け取っていないことから、タグ１（Ｌ１，Ｒ１）→タグ３（Ｌ３，Ｒ３）→タグ４（Ｌ４，Ｒ４）の順に画像データの組を読み出す。
【００４３】
なお、本例では、画像データ読出部１９０は、画像データ入力部１８０から完了信号を受け取った画像データの組のうち、書き込みの古い順に読み出したが、読み出す順序は本例に限られない。例えば、画像データ読出部１９０は、完了信号を受け取った画像データの組のうち、最も新しく書き込まれたものから読み出してもよい。
【００４４】
このように、本例のプロジェクターシステム１０が備えるプロジェクター１００は、画像メモリー１１６ａへ書き込まれた左目用画像および右目用画像の画像データを交互に読み出す際に、左目用画像および右目用画像の画像データの組単位で識別タグを付して書き込みが正常に完了したか否かを管理しているので、右目用画像あるいは左目用画像の画像データが連続して読み出されることがなく、その結果として、右目用画像あるいは左目用画像が続けて投射されることに起因するフリッカーの発生を防ぐことができる。
【００４５】
（変形例）
上述した実施形態では、光源からの光を光変調部である液晶ライトバルブによって変調し投射する液晶３板式プロジェクターを例示したが、本発明はその他の方式を採用するプロジェクターにも適用することもできる。具体的には、ＤＭＤ（Ｄｉｇｉｔａｌ  Ｍｉｃｒｏｍｉｒｒｏｒ  Ｄｅｖｉｃｅ）を用いた投射方式、所謂、ＤＬＰ（Ｄｉｇｉｔａｌ  Ｌｉｇｈｔ  Ｐｒｏｃｅｓｓｉｎｇ）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投射する方式であり、本発明はこのような方式のプロジェクターにも適用することができる。
【００４６】
また、上述した実施形態では、光源として放電式ランプを用いて投射するプロジェクターを例示したが、本発明は光源としてＬＥＤ光源やレーザー光源などを用いて投射するプロジェクターにも適用することができる。
【００４７】
また、上述した実施形態では、立体画像表示装置の一例として、画像データ読出部が読み出した画像データから生成した画像光をスクリーンなどの投射面に投射するプロジェクターを例示したが、当該画像データを順次に表示可能な形態であればＬＣＤあるいはプラズマディスプレイなどの表示装置であってもよく、この場合、ユーザーは、表示画面に順次に表示される右目用画像および左目用画像を、シャッター眼鏡をかけて見ることでそれらの画像を立体画像として認識することができる。
【００４８】
以上、本発明を実施の形態を用いて説明したが、本発明の技術的範囲は上記実施の形態に記載の範囲には限定されない。上記実施の形態に、多様な変更または改良を加えることができることは当業者に明らかである。
【符号の説明】
【００４９】
１０…プロジェクターシステム（立体画像表示システム）、１００…プロジェクター（立体画像表示装置）、１１０…ランプ、１１１…光学部、１１２…液晶パネル駆動部、１１３…操作受付部、１１４…電源部、１１５…画像処理部、１１６…記憶部、１１６ａ…画像メモリー、１１７…制御部、１１９…ランプ駆動部、１２０…投射部（画像表示部）、１４０…赤外線送信部、１５０…受信部、１６０…表示部、１７０…シャッター眼鏡、１７１…左眼用シャッター、１７２…右眼用シャッター、１８０…画像データ入力部、１９０…画像データ読出部、２００…リモートコントローラー、２１１…電源ボタン、２１２…メニューボタン、２１３…エスケープボタン、２１４…スクロールボタン（方向ボタン）、２１５…文字／数字入力ボタン、２１６…ミュートボタン、２２０…表示部、３００…外部電源
【図１】
0005703732.tif 000002
【図２】
0005703732.tif 000003
【図３】
0005703732.tif 000004
【図４】
0005703732.tif 000005
【図５】
0005703732.tif 000006
【図６】
0005703732.tif 000007